(57)【要約】    【課題】  様々なサイズの換気小窓に取付けて花粉や塵埃の侵入を確実に軽減できるようにした換気小窓用フィルター装置の組立てキットを提供する。    【解決手段】  匚状又はＬ字状の枠本体(10,10')と、枠本体に接着され枠本体とともに換気小窓に嵌込まれる四角形状の取付け枠を構成する枠エンド(11,16) と、取付け枠の中間に掛け渡されて接着される中桟(12)と、塵埃を濾過するフィルター(15)と、取付け枠に着脱可能に取付けられてフィルターの両側及び中間を上記取付け枠に押さえる押さえ桟(13)とを備え、枠本体、枠エンド及び中桟、必要に応じて押さえ枠は手持ち式の切断刃によって切断可能な材料で製作する。【選択図】  図１
0003122941.tif 000002
【実用新案登録請求の範囲】
【請求項１】
任意の大きさの換気小窓に嵌込まれて用いられるフィルター装置の組立てキットであって、
手持ち式の切断刃によって切断可能な材料で製作された匚状又はＬ字状の枠本体と、
手持ち式の切断刃によって切断可能な材料で製作され、上記枠本体に接着され、上記枠本体とともに換気小窓に嵌込まれる四角形状の取付け枠を構成する枠エンドと、
手持ち式の切断刃によって切断可能な材料で製作され、上記取付け枠の中間に掛け渡されて接着される中桟と、
塵埃を濾過するフィルターと、
手持ち式の切断刃によって切断可能な材料で製作され、上記取付け枠に着脱可能に取付けられて上記フィルターの両側及び中間を上記取付け枠に押さえる押さえ桟と、
を備えたことを特徴とする換気小窓用フィルター装置の組立てキット。
【請求項２】
上記枠本体、枠エンド、中桟及び押さえ桟には止めピンの挿通孔が穿設され、上記押さえ桟が止めピンによって上記取付け枠に交換可能に取付けられるようになっている請求項１記載の換気小窓用フィルター装置の組立てキット。
【請求項３】
上記取付け枠の外周縁にはフィルターを位置決めする起立壁が形成されている請求項１記載の換気小窓用フィルター装置の組立てキット。
【考案の詳細な説明】
【技術分野】
【０００１】
本考案は換気小窓用フィルター装置の組立てキットに関し、特に様々なサイズの換気小窓に取付けて花粉や塵埃の侵入を確実に軽減できるようにした組立てキットに関する。
【背景技術】
【０００２】
最近、アレルギー性鼻炎、アレルギー結膜炎、気管支喘息、アトピー性皮膚炎などのアレルギー性疾患が大きな問題となってきている。このアレルギー性疾患は食物、ダニ、かび、ペットの毛やフケ、杉や檜の花粉などの種々なアレルゲン（抗原）によって引き起こされることから、アレルゲンに接触することを可能な限り少なくする対策が種々講じられている。
【０００３】
例えば、住宅の換気小窓の窓枠にフィルター装置を嵌め込み、室内に侵入する花粉や埃を少なくすることが行われている（特許文献１、特許文献２）。
【０００４】
【特許文献１】特開２００５−９８０８５号公報
【特許文献２】実用新案登録第３０９４１１５号公報
【考案の開示】
【考案が解決しようとする課題】
【０００５】
しかし、花粉や埃の侵入を確実に軽減する上でフィルター装置を換気小窓の窓枠にピッタリと嵌め込む必要があるが、住宅の換気小窓には様々なサイズがあることから、サイズの異なる換気小窓に嵌め込むフィルター装置を予め製作するのは煩雑であるばかりでなく、コスト高となる。
【０００６】
他方、特許文献２記載のフィルター装置のように、段ボール紙で製作した取付け枠にフィルターを予め取付けておき、取付け枠をナイフで適当な枠幅に切断して使用する方法も提案されているが、様々な換気小窓に利用できるようにするためには取付け枠の枠幅を十分に広く製作する必要があるので、フィルターの大きさは小さくなってしまい、十分な換気が確保できないおそれがある。
【０００７】
本考案はかかる問題点に鑑み、様々なサイズの換気小窓に取付けて花粉や塵埃の侵入を確実に軽減できるようにした換気小窓用フィルター装置の組立てキットを提供することを課題とする。
【課題を解決するための手段】
【０００８】
そこで、本考案に係る換気小窓用フィルター装置の組立てキットは、任意の大きさの換気小窓に嵌込まれて用いられるフィルター装置の組立てキットであって、手持ち式の切断刃によって切断可能な材料で製作された匚状又はＬ字状の枠本体と、手持ち式の切断刃によって切断可能な材料で製作され、上記枠本体に接着され、上記枠本体とともに換気小窓に嵌込まれる四角形状の取付け枠を構成する枠エンドと、手持ち式の切断刃によって切断可能な材料で製作され、上記取付け枠の中間に掛け渡されて接着される中桟と、塵埃を濾過するフィルターと、手持ち式の切断刃によって切断可能な材料で製作され、上記取付け枠に着脱可能に取付けられて上記フィルターの両側及び中間を上記取付け枠に押さえる押さえ桟と、を備えたことを特徴とする。
【０００９】
本考案の特徴の１つは枠本体及び枠エンドを換気小窓の大きさに応じて切断し、相互に接着してフィルターの取付け枠を構成するようにした点にある。これにより、１種類の組立てキットを用いて種々なサイズの換気小窓にピッタリと嵌め込むことのできるフィルター装置を組み立てることができるので、組立てキットを簡単に製造できるとともに、コスト高を招来することもない。
【００１０】
また、枠本体及び枠エンドを手持ち式の切断刃、例えばナイフや鋏によって切断し、接着剤を用いて接着するようにしたので、フィルター装置に関する専門的知識のない素人であっても家庭においてフィルター装置を簡単かつ確実に組み立てることができる。
【００１１】
枠本体、枠エンド、中桟及び押さえ桟は手持ち式の切断刃で切断できればどのような材料でもよく、例えばＰＥＴ（ポリエチレンテレフタレート）等の合成樹脂材料を用いることができる。
【００１２】
押さえ桟は取付け枠に接着剤で接着するようにしてもよいが、フィルターが汚れると交換する必要がある。そこで、フィルターを交換できるように押さえ桟を取付けるのが好ましい。例えば、枠本体、枠エンド、中桟及び押さえ桟には止めピンの挿通孔を穿設し、押さえ桟を止めピンによって取付け枠に交換可能に取付けられるのがよい。
【００１３】
取付け枠は平坦なものでもよいが、フィルターを押さえ桟で押さえるときに正確に位置決めされるように、取付け枠の外周縁にフィルターを位置決めする起立壁を連続してあるいは部分的に形成するのがよい。
【考案を実施するための最良の形態】
【００１４】
以下、本考案を図面に示す具体例に基づいて詳細に説明する。図１ないし図５は本考案に係る換気小窓用フィルター装置の組立てキットの好ましい実施形態を示す。本例の組立てキットは図１に示されるように、平面匚字状の枠本体１０、１枚の枠エンド１１、１枚の中桟１２、３枚の押さえ桟１３、６本の止めピン１４及びフィルター１５から構成されている。
【００１５】
枠本体１０、枠エンド１１、中桟１２及び押さえ枠１３は軟質のポリエチレンテレフタレート（ＰＥＴ）樹脂を用いて、カッターナイフや鋏で切断可能に製造されている。また、枠本体１０の縦辺部分、枠エンド１１、中桟１２及び押さえ桟１３には止めピン１４を挿通し得る挿通孔が２つずつ穿設され、押さえ桟１３の挿通孔にはゴムブッシュが嵌め込まれ、挿通された止めピンの軸を保持するようになっている。
【００１６】
枠本体１０及び枠エンド１１の外周縁にはフィルター１５を位置決めする起立壁が全長に延びて形成されている。また、フィルター１５は不織布を用いて、カッターナイフや鋏で切断可能に製造され、塵埃を濾過するようになっている。
【００１７】
フィルター装置３０を換気小窓の窓枠２０に取付ける場合、窓枠２０の寸法を測定し、枠本体１０の上辺部分及び下辺部分がフィルター装置を嵌め込むべき窓枠２０の横方向長さにピッタリと一致するように両先端部分１０Ａをカッターナイフ等で切断した後、枠本体１０の匚字状の両先端部分の間に枠エンド１１を掛け渡し、重なり部分１１Ａを枠本体１０に接着剤で接着し、四角形状の取付け枠を製作する。
【００１８】
その後、上辺部分と下辺部分の中間の間に中桟１２を掛け渡し、重なり部分１２Ａを枠本体１０に接着剤で接着する一方、フィルター１５を取付け枠の大きさに応じて鋏などで切断し、取付け枠上にフィルター１５を重ね、その上から枠本体１０の縦辺部分、中桟１２及び枠エンド１１の上に来るように押さえ桟１３を重ね、止めピン１４を差し込んで止めピン１３を枠本体１０の縦辺部分、中桟１２及び枠エンド１１に取付けると、フィルター装置３０の組立てが完了する。
【００１９】
最後にフィルター装置３０の上部を換気小窓の窓枠２０の上側凹所に嵌め込んだ後、下方にずらしてフィルター装置３０の下部を窓枠２０の下側凹所に嵌め込めば取付けが完了する。
【００２０】
換気小窓の窓枠２０には小窓２１、２２が内外に重なるように取付けられ、開閉できるようになっている。外側の小窓２２が取付けられる窓枠２０に本例のフィルター装置３０を取付けると、内側の小窓２１を自由にスライドさせて開閉し、自由に換気することができる。
【００２１】
図６は第２の実施形態を示し、図において図１と同一符号は同一又は相当部分を示す。本例では枠本体１０’はＬ字状に製造され、第１の実施形態における枠本体１０の下辺部分は枠エンド１６として準備されている。
【００２２】
本例の組立てキットでは換気小窓の窓枠２０の横方向の長さだけでなく、縦方向の寸法も測定し、枠本体１０’の縦辺部分及び上辺部分の先端部分、枠エンド１１、１６、中桟１２及び押さえ桟１３をカッターナイフなどで切断し、枠本体１０’に枠エンド１１、１６を接着して四角形状の取付け枠を組立てた後、中桟１２を接着し、フィルター１５を重ねて押さえ桟１３と止めピン１４で取付けた後、上記の実施形態と同様にして換気小窓の窓枠２０に取付ければよい。
【００２３】
本例では換気小窓の窓枠２０の寸法が異なる場合にも一種類の組立てキットで簡単に対応できる。
【００２４】
なお、上記の例ではフィルターに不織布を用いるようにしたが、紙、微細な目のネット、不織布と紙やネットとを重ねたもの、その他の市販のフィルター材を組立てキットに用い、あるいは交換用として用いることもできる。
【図面の簡単な説明】
【００２５】
【図１】本考案に係る換気小窓用フィルター装置の組立てキッドの好ましい実施形態を示す図である。
【図２】上記実施形態における組立て途中の状態を示す図である。
【図３】上記実施形態の組立て完了の状態を示す図である。
【図４】換気小窓を示す図である。
【図５】上記実施形態を換気小窓の窓枠に取付けた状態を示す図である。
【図６】第２の実施形態を示す図である。
【符号の説明】
【００２６】
１０、１０’      枠本体          １１、１６        枠エンド
１２      中桟                    １３      押さえ桟
１４      止めピン                １５      フィルター
２０      窓枠                    ３０      フィルター装置
【図１】
0003122941.tif 000003
【図２】
0003122941.tif 000004
【図３】
0003122941.tif 000005
【図４】
0003122941.tif 000006
【図５】
0003122941.tif 000007
【図６】
0003122941.tif 000008